(57)【要約】【課題】ＬＰＨを構成する結像レンズに起因して画像上に現れる黒スジの位置を特定し、当該黒スジの位置に対する光量補正を可能とし、画質の向上を図ること。【解決手段】主走査方向に配列された複数の発光素子からなる光源部と、発光素子からの照射光を集光させて露光面上に結合させる複数の結像レンズからなる光学部と、複数の発光素子それぞれの光量を補正するための光量補正値からなる基本補正データと、結像レンズ固有のＭＴＦデータに基づいて算出された発光素子の配列方向における局所的な補正対象位置情報及び当該補正対象位置情報が示す局所的な位置に配列された発光素子の光量補正値を補正するための補正基準値を含む黒スジ補正データと、を記憶する記憶部３１と、を備えたＬＰＨ３。【選択図】図１
2010173235.tif 000002
【特許請求の範囲】
【請求項１】
主走査方向に配列された複数の発光素子からなる光源部と、
前記発光素子からの照射光を集光させて露光面上に結合させる複数の結像レンズからなる光学部と、
複数の前記発光素子それぞれの光量を補正するための光量補正値からなる第１補正データと、前記結像レンズ固有の光学特性データに基づいて算出された前記発光素子の配列方向における局所的な補正対象位置情報及び当該補正対象位置情報が示す局所的な位置に配列された発光素子の光量補正値を補正するための補正基準値を含む第２補正データと、を記憶する記憶部と、
を備えた光書込装置。
【請求項２】
前記光学特性データは、
前記光学部を透過した照射光から検出した光量データにより算出されたＭＴＦデータである、
請求項１に記載の光書込装置。
【請求項３】
前記補正対象位置情報は、
局所的に前記光学特性データの値が変化する発光素子が配列されている区間を示す区間情報を示す、
請求項１又は２に記載の光書込装置。
【請求項４】
前記補正基準値は、
前記区間に含まれる発光素子のうち、前記光学特性データに基づいて算出される値の最大値であり、
前記区間情報は、
前記光学特性データの値が最大値である発光素子の識別番号を示す最大素子番号と、当該最大素子番号から前記区間の一端部及び他端部までの素子数とを含む、
請求項３に記載の光書込装置。
【請求項５】
前記記憶部は、
複数の前記第２補正データを、前記最大素子番号が小さい順又は大きい順に格納する、
請求項４に記載の光書込装置。
【請求項６】
前記記憶部は、
複数の前記第２補正データを、前記最大値が小さい順又は大きい順に格納する。
請求項４に記載の光書込装置。
【請求項７】
請求項１から６のいずれか一項に記載の光書込装置により画像を形成する画像形成装置において、
前記光書込装置の記憶部から前記第１補正データ及び前記第２補正データを読み出し、前記第２補正データに基づいて前記第１補正データを補正する制御部と、
前記制御部により補正された第１補正データを記憶する本体記憶部と、
を備える画像形成装置。
【請求項８】
前記第２補正データに対する調整指示情報を受け付ける入力部を備え、
前記制御部は、
前記入力部から入力された調整指示情報に基づいて前記第２補正データを調整し、当該調整した第２補正データに基づいて前記第１補正データを補正し、前記本体記憶部に記憶されている第１補正データを当該補正された第１補正データに書き換える、
請求項７に記載の画像形成装置。
【請求項９】
前記第２補正データに対する調整指示情報を受け付ける入力部を備え、
前記制御部は、
前記入力部から入力された調整指示情報に基づいて前記第２補正データを調整し、前記光書込装置の記憶部に記憶されている第２補正データを当該調整した第２補正データに書き換える、
請求項７に記載の画像形成装置。
【請求項１０】
主走査方向に配列された複数の発光素子からなる光源部、前記発光素子からの照射光を集光させて露光面上に結合させる複数の結像レンズからなる光学部、記憶部を備えた光書込装置と、前記光書込装置の記憶部にデータを書き込む制御装置と、を備えるシステムにおけるデータ書込方法において、
前記結像レンズ固有の光学特性データを測定する光学特性データ測定工程と、
前記光学特性データに基づいて、前記発光素子の配列方向における局所的な補正対象位置情報及び補正基準値を含む第２補正データを算出する第２補正データ算出工程と、
前記第２補正データを前記記憶部に書き込む書込工程と、
を含む、
データ書込方法。
【発明の詳細な説明】
【技術分野】
【０００１】
本発明は、光書込装置、画像形成装置及びデータ書込方法に関する。
【背景技術】
【０００２】
近年、感光体の表面に静電潜像を形成させる光書込装置として、ＬＥＤプリンタヘッド（以下、ＬＰＨと称す。）を用いた画像形成装置が開発されている。ＬＰＨは、ＬＥＤチップアレイと、レンズアレイとを備えて構成されている。ＬＥＤチップアレイは、主走査方向に沿って予め設定された解像度に応じて配列された複数のＬＥＤ（Light Emitting Diode）素子を有するＬＥＤチップがアレイ上に配置されてなる。レンズアレイは、画像データに応じて発光されたＬＥＤ素子からの照射光を集光させて感光体に静電潜像を結像させるＧＲＩＮ（Graded-Index）レンズが複数配列されてなる。
【０００３】
ＬＰＨを用いた画像形成装置において、ＬＥＤ素子の製造バラツキ、ＧＲＩＮレンズの取り付け固定時の角度変動や屈折率分布等に起因する光学特性のバラツキ、ごみの付着等により、光量ムラが発生することが知られている。光量ムラは、濃度ムラを発生させ、この濃度ムラに起因して画像上に黒スジや白スジが発生するという問題がある。
【０００４】
そこで、ＬＰＨを備えた画像形成装置において、各ドットに対するＭＴＦの特性グラフにおいて、デフォーカス位置を５段階に変化させて各ドットに対するＭＴＦの変化を参照し、ビーム径変動の大きい箇所、即ち、ＭＴＦが急激に変動するディップの箇所を特定することにより、レンズアレイに起因する黒スジの位置を特定する画像形成装置が開示されている（特許文献１参照）。
【先行技術文献】
【特許文献】
【０００５】
【特許文献１】特開２００６−２４８１８５号公報
【発明の概要】
【発明が解決しようとする課題】
【０００６】
しかしながら、特許文献１に開示された技術では、複数の異なるデフォーカス位置でのＭＴＦ測定を行なわなくてはならない。また、黒スジが生じる位置が特定された後、当該特定位置に対する補正手段の開示がなされていない。そのため、黒スジが現れる位置に対する補正をすることができないという問題がある。
【０００７】
本発明の課題は、上記問題に鑑みて、ＬＰＨを構成する結像レンズに起因して画像上に現れる黒スジの位置を特定し、当該黒スジの位置に対する光量補正を可能とし、画質の向上を図ることである。
【課題を解決するための手段】
【０００８】
請求項１に記載の発明は、主走査方向に配列された複数の発光素子からなる光源部と、前記発光素子からの照射光を集光させて露光面上に結合させる複数の結像レンズからなる光学部と、複数の前記発光素子それぞれの光量を補正するための光量補正値からなる第１補正データと、前記結像レンズ固有の光学特性データに基づいて算出された前記発光素子の配列方向における局所的な補正対象位置情報及び当該補正対象位置情報が示す局所的な位置に配列された発光素子の光量補正値を補正するための補正基準値を含む第２補正データと、を記憶する記憶部と、を備えた光書込装置である。
【０００９】
請求項２に記載の発明は、請求項１に記載の光書込装置において、前記光学特性データは、前記光学部を透過した照射光から検出した光量データにより算出されたＭＴＦデータである。
【００１０】
請求項３に記載の発明は、請求項１又は２に記載の光書込装置において、前記補正対象位置情報は、局所的に前記光学特性データの値が変化する発光素子が配列されている区間を示す区間情報を示す。
【００１１】
請求項４に記載の発明は、請求項３に記載の光書込装置において、前記補正基準値は、前記区間に含まれる発光素子のうち、前記光学特性データに基づいて算出される値の最大値であり、前記区間情報は、前記光学特性データの値が最大値である発光素子の識別番号を示す最大素子番号と、当該最大素子番号から前記区間の一端部及び他端部までの素子数とを含む。
【００１２】
請求項５に記載の発明は、請求項４に記載の光書込装置において、前記記憶部は、複数の前記第２補正データを、前記最大素子番号が小さい順又は大きい順に格納する。
【００１３】
請求項６に記載の発明は、請求項４に記載の光書込装置において、前記記憶部は、複数の前記第２補正データを、前記最大値が小さい順又は大きい順に格納する。
【００１４】
請求項７に記載の発明は、請求項１から６のいずれか一項に記載の光書込装置により画像を形成する画像形成装置において、前記光書込装置の記憶部から前記第１補正データ及び前記第２補正データを読み出し、前記第２補正データに基づいて前記第１補正データを補正する制御部と、前記制御部により補正された第１補正データを記憶する本体記憶部と、を備える画像形成装置である。
【００１５】
請求項８に記載の発明は、請求項７に記載の画像形成装置において、前記第２補正データに対する調整指示情報を受け付ける入力部を備え、前記制御部は、前記入力部から入力された調整指示情報に基づいて前記第２補正データを調整し、当該調整した第２補正データに基づいて前記第１補正データを補正し、前記本体記憶部に記憶されている第１補正データを当該補正された第１補正データに書き換える。
【００１６】
請求項９に記載の発明は、請求項７に記載の画像形成装置において、前記第２補正データに対する調整指示情報を受け付ける入力部を備え、前記制御部は、前記入力部から入力された調整指示情報に基づいて前記第２補正データを調整し、前記光書込装置の記憶部に記憶されている第２補正データを当該調整した第２補正データに書き換える。
【００１７】
請求項１０に記載の発明は、主走査方向に配列された複数の発光素子からなる光源部、前記発光素子からの照射光を集光させて露光面上に結合させる複数の結像レンズからなる光学部、記憶部を備えた光書込装置と、前記光書込装置の記憶部にデータを書き込む制御装置と、を備えるシステムにおけるデータ書込方法において、前記結像レンズ固有の光学特性データを測定する光学特性データ測定工程と、前記光学特性データに基づいて、前記発光素子の配列方向における局所的な補正対象位置情報及び補正基準値を含む第２補正データを算出する第２補正データ算出工程と、前記第２補正データを前記記憶部に書き込む書込工程と、を含むデータ書込方法である。
【発明の効果】
【００１８】
請求項１に記載の発明によれば、発光素子それぞれの光量を補正するための第１補正データと、結像レンズ固有の光学特性データに基づく第２補正データとを記憶する記憶部を備えた光書込装置であることから、光書込装置を構成する結像レンズに起因して画像上に現れる黒スジの位置を特定することができ、当該黒スジの位置に対する光量補正が可能となり、画質の向上を図ることができる。
【００１９】
請求項２に記載の発明によれば、請求項１と同様の効果を得られるのは勿論のこと、光学特性データとして、ＭＴＦデータを用いることができる。
【００２０】
請求項３に記載の発明によれば、請求項１又は２と同様の効果を得られるのは勿論のこと、局所的に光学特性データの値が変化する発光素子が配列されている区間を示す区間情報により黒スジの位置を特定することができる。
【００２１】
請求項４に記載の発明によれば、請求項３と同様の効果を得られるのは勿論のこと、光学特性データの値が最大値となる最大素子番号と、当該最大素子番号から当該区間の一端部及び他端部までの素子数とにより、黒スジの位置を特定することができると共に、最大値により当該黒スジの位置の発光素子に対する光量補正を行なうことができる。
【００２２】
請求項５に記載の発明によれば、請求項４と同様の効果を得られるのは勿論のこと、第２補正データを最大素子番号が小さい順又は大きい順に格納することができる。
【００２３】
請求項６に記載の発明によれば、請求項４と同様の効果を得られるのは勿論のこと、第２補正データを最大値が小さい順又は大きい順に格納することができる。
【００２４】
請求項７に記載の発明によれば、請求項１から６のいずれか一項と同様の効果を得られるのは勿論のこと、結像レンズ固有の光学特性データに基づく第２補正データに基づいて、発光素子それぞれの光量を補正するための第１補正データを補正することができるため、光書込装置を構成する結像レンズに起因して画像上に現れる黒スジの位置を特定することができ、当該黒スジの位置に対する光量補正が可能となり、画質の向上を図ることができる。
【００２５】
請求項８に記載の発明によれば、請求項７と同様の効果を得られるのは勿論のこと、入力部から入力された調整指示情報に基づいて第２補正データを調整することができる。
【００２６】
請求項９に記載の発明によれば、請求項７と同様の効果を得られるのは勿論のこと、光書込装置の記憶部に記憶されている第２補正データを、入力部から入力された補正指示情報に基づいて調整された第２補正データに書き換えることができる。
【００２７】
請求項１０に記載の発明によれば、結像レンズ固有の光学特性データに基づく第２補正データを算出して光書込装置の記憶部に書き込むことができるため、当該光書込装置を用いて画像を形成する場合には、光書込装置を構成する結像レンズに起因して画像上に現れる黒スジの位置を特定することができ、当該黒スジの位置に対する光量補正が可能となり、画質の向上を図ることができる。
【図面の簡単な説明】
【００２８】
【図１】ＬＰＨ検査システムの構成図である。
【図２】「俵積み」した結像レンズの配置例と発光素子との関係を示す図である。
【図３】画像形成装置の制御ブロック図である。
【図４】ＬＰＨ検査処理のフローチャートである。
【図５】ＬＰＨ検査システムで実行されるＬＰＨ部組検査処理のフローチャートである。
【図６】第１光量調整処理のフローチャートである。
【図７】第２光量調整処理のフローチャートである。
【図８】第３光量調整処理のフローチャートである。
【図９】１（ＯＮ）−３（ＯＦＦ）の点灯パターンの略式処理でのＭＴＦ測定処理のフローチャートである。
【図１０】補正データ生成処理のフローチャートである。
【図１１】補正データ生成処理のフローチャートである（図１０の続き）。
【図１２】最大値リストの例を示す図である。
【図１３】ピーク素子番号ＰＰを中心とした区間の発光素子の素子番号と差分値ΔＭ（ｎ）と処理済差分値ΔＭＭ（ｎ）との例を示す図である。
【図１４】補正データ書込処理のフローチャートである。
【図１５】ＬＰＨの記憶部のメモリ構成の例を示す図である。
【図１６】Ａバンクの分割領域Ａ１に記憶されるデータ書式例を示す図である。
【図１７】Ｂバンクの分割領域Ｂ１に記憶されるデータ書式例を示す図である。
【図１８】ＬＰＨ組み立て処理のフローチャートである。
【図１９】ＬＰＨ調整処理のフローチャートである。
【図２０】用紙上に形成された確認画像の例を示す図である。
【図２１】調整メニュー画面の例を示す図である。
【図２２】各発光素子に対する光量操作量のグラフの例である。
【図２３】調整量が０の場合の補正量のイメージ図である。
【図２４】調整量が−１の場合の補正量のイメージ図である。
【図２５】調整量が−２の場合の補正量のイメージ図である。
【発明を実施するための形態】
【００２９】
以下、図を参照して本発明の実施の形態を詳細に説明する。
本実施の形態は、ＬＰＨ検査システムによりＬＰＨの検査を行い、当該検査済みのＬＰＨを画像形成装置に組み込んでＬＰＨの光量調整を行うものである。
【００３０】
まず、構成を説明する。
図１に、本実施の形態におけるＬＰＨ検査システム１の構成図を示す。
図１に示すように、ＬＰＨ検査システム１は、暗箱１１内に設けられたＬＰＨ３、ＬＰＨ固定部材１２、受光部１３、駆動部１４、ＬＰＨ制御部１５、受光制御部／駆動制御部１６、制御装置１７を備えて構成されている。
【００３１】
ＬＰＨ３は、光源部、光学部を有する。光源部は、予め設定された解像度に対応した画素ピッチで主走査方向に配列された複数の発光素子（例えば、ＬＥＤ（Light Emitting Diode）素子）からなるＬＥＤアレイを有する。光学部は、当該発光素子からの照射光を集光させて露光面上に結像させる複数の結像レンズ（例えば、ＧＲＩＮ（Graded-Index）レンズ）からなるレンズアレイを有する。ＬＰＨ３は、画像データに基づいて発光素子が選択的に駆動されて点灯し、駆動された発光素子から照射される光を結像レンズにより露光面上に集光させて結像させる光書込装置である。
なお、各発光素子には、それぞれ固有の識別番号（素子番号）が付されている。
【００３２】
更に、ＬＰＨ３は、記憶部３１を有する。記憶部３１は、ＥＥＰＲＯＭ（Electrically Erasable and Programmable Read Only Memory）やフラッシュメモリ等の電気的に書き換え可能な不揮発性の記憶媒体である。記憶部３１としては、所定の記憶領域単位で消去／書き込みが行なえるものが好ましい。なお、記憶部３１は、ＬＰＨ３に固定的に設けられるもの、若しくは着脱自在に装着するものであっても良い。
【００３３】
記憶部３１には、ＬＰＨ検査システム１にて取得されたＬＰＨの各種データが保存される。この各種データには、基本補正データ及び黒スジ補正データが含まれる。
【００３４】
基本補正データは、ＬＰＨ３が備える複数の発光素子それぞれの光量を補正するための光量補正値が各発光素子の素子番号と対応付けられた形式でテーブル化された第１補正データである。
【００３５】
黒スジ補正データは、結像レンズ固有の光学特性データに基づいて算出された発光素子の配列方向における局所的な結像レンズ固有の光学特性を補正するための第２補正データである。
【００３６】
この黒スジ補正データには、区間情報が含まれる。区間情報は、発光素子の配列方向における局所的な補正対象位置情報であり、局所的に光学特性データの値が変化する発光素子が配列されている区間（補正対象区間）を示す。この区間情報は、基本補正データに含まれる光量補正値のうち補正対象となる発光素子を特定するものである。
【００３７】
また、黒スジ補正データには、補正対象区間が示す局所的な位置に配置された発光素子の光量補正値を補正するための補正値の基準となる補正基準値が含まれる。この補正基準値は、補正対象区間に含まれる発光素子のうち、光学特性データに基づいて算出される値の最大値（後述する補正ピーク値ＭＰ）である。
【００３８】
ＬＰＨ固定部材１２は、例えば、エア吸引によりＬＰＨ３を吸着保持し、ＬＰＨ３を予め設定された位置に固定するものである。
【００３９】
受光部１３は、ＬＰＨ３から照射される光を受光し、受光した光量値を受光制御部／駆動制御部１６に出力する。受光部１３としては、例えば、ＣＣＤ（（Charge Coupled Device）や光電子倍増管（Photo Multiplier）、フォトダイオード等を挙げることができる。
【００４０】
駆動部１４は、モータやＬＰＨ３の照射面と対向する位置の主走査方向に延在するガイドレール等を備え、受光部１３をガイドレール上のＬＰＨ３の照射面と対向する位置に保持し、受光制御部／駆動制御部１６からの指示に従って主走査方向に移動させる。
【００４１】
ＬＰＨ制御部１５は、制御装置１７から入力された指示に従って、ＬＰＨ３全体を制御する。ＬＰＨ制御部１５は、制御装置１７から入力された指示に応じて発光素子の露光時間（点灯時間）や光量補正値、点灯させる発光素子をＬＰＨ３に設定し、当該露光時間で選択した発光素子を点灯させる点灯制御を行なう。また、ＬＰＨ制御部１５は、制御装置１７から入力された指示に従って、ＬＰＨ３の記憶部３１に基本補正データや黒スジ補正データ等の各種データを書き込む。
【００４２】
受光制御部／駆動制御部１６は、受光部１３から入力される光量値に対して、光電変換処理、Ａ／Ｄ変換処理を施して光量測定値を算出し、当該光量測定値を制御装置１７に出力し、また、制御装置１７から入力された指示に従って、駆動部のモータを駆動させ、ガイドレール上に保持されている受光部１３をＬＰＨ３の主走査方向に移動させる。
【００４３】
制御装置１７は、制御部１７ａ、メモリ１７ｂ、表示部１７ｃ、操作部１７ｄ、外部Ｉ／Ｆ１７ｅ等を有しており、ＬＰＨ検査システム１全体を統括的に制御する。
【００４４】
制御部１７ａは、ＣＰＵ（Central Processing Unit）、ＲＯＭ（Read Only Memory）、ＲＡＭ（Random Access Memory）等を備えており、ＲＯＭ又はメモリ１７ｂに記憶されているシステムプログラム、各処理プログラム、データ等を読み出して、ＲＡＭ内に展開し、展開されたプログラムに従って、制御装置１７各部の動作を制御すると共に、ＬＰＨ制御部１５、受光制御部／駆動制御部１６を統括的に制御し、ＬＰＨ検査システム１全体の統括的な制御を行なうものである。
【００４５】
また、制御部１７ａは、ＲＯＭ又はメモリ１７ｂに記憶されているＬＰＨ検査プログラム、光量補正テーブルや各種データ等を読み出して、ＬＰＨ検査処理を実行する。ＬＰＨ検査処理には、ＬＰＨ部組検査処理、補正データ生成処理、補正データ書込処理等が含まれる。
【００４６】
ＬＰＨ部組検査処理は、結像レンズ固有の光学特性データ（ＭＴＦ）を測定して光学特性データを取得する処理であり、第１〜３光量調整処理、ＭＴＦ測定処理が含まれる。
第１〜３光量調整処置は、ＬＰＨの光量を測定し、基本補正データを生成する処理である。
【００４７】
ＭＴＦ測定処理は、第１〜３光量調整処理により生成された基本補正データに応じて設定された光量に基づいてＬＰＨ制御部１５によりＬＰＨの各発光素子が予め設定された点灯パターンで点灯されると共に、受光制御部／駆動制御部１６により駆動部１４が駆動されて点灯される発光素子と対向する位置に受光部１３が移動され、受光部１３により受光され受光制御部／駆動制御部１６により入力された光量測定値に基づいて発光素子毎の特性データが算出される。具体的には、ＭＴＦ特性（Modulation Transfer Function特性）であり、コントラスト伝達関数とも呼ばれ、光学系の解像力を表すデータが算出される。
【００４８】
本実施の形態におけるＭＴＦ測定処理での点灯パターンとしては、発光素子を３つ置きに点灯させる点灯パターン（以下、１（ＯＮ）−３（ＯＦＦ）とも称す。）を用いる。他の点灯パターンとしては、発光素子を１つ置きに点灯させる点灯パターン（以下、１（ＯＮ）−１（ＯＦＦ）とも称す。）や、発光素子を２つ置きに２素子単位で点灯させる点灯パターン（以下、２（ＯＮ）−２（ＯＦＦ）とも称す。）がある。
【００４９】
補正データ生成処理は、光学特性データに基づいて、発光素子の配列方向における局所的な第２補正データ（黒スジ補正データ）を算出する処理であり、第１〜３算出処理を含む。
【００５０】
第１算出処理は、発光素子毎の特性データに基づいて、予め設定された第１の移動平均区間での発光素子毎の第１の移動平均値を第１演算値として算出する処理である。
第２算出処理は、発光素子毎の特性データに基づいて、第１の移動平均区間よりも大きい予め設定された第２の移動平均区間での発光素子毎の第２の移動平均値を、第１演算値（第１の移動平均値）とは異なる第２演算値として算出する処理である。
第１算出処理の第１の移動平均区間及び第２算出処理の第２移動平均区間は、ＬＰＨ３の光学部の結像レンズの配置構成に基づいて定める。
【００５１】
本実施の形態の結像レンズの配置構成は、複数の結像レンズを主走査方向に２列に「俵積み」と呼ばれる配置で配列したものとする。図２に、「俵積み」した結像レンズの配置例と発光素子との関係を示す。図２に示すように、「俵積み」とは、円柱状の結像レンズを半径方向に隣接するように並べた第１層に、第１層と同様に並べた第２層の各結像レンズを、第１層の相互に隣接している２つの結像レンズの間に生じる谷間に配置するものである。この「俵積み」の配置では、隣接する２つの結像レンズの軸から軸までの距離が当該２つの結像レンズの半径の和の長さ、即ち直径Ｄの長さとなる。
【００５２】
この「俵積み」の配置の場合、ある発光素子ａから照射された光の光学寄与が最も高い結像レンズＡが傾いたとき、当該結像レンズの次に光学寄与が高い結像レンズＢ１、Ｂ２（即ち、当該結像レンズＡが属する層とは異なる層の結像レンズであって当該結像レンズに隣接する２つの結像レンズＢ１、Ｂ２）にも影響を与え、複数のレンズ素子が関連を持って黒スジが生じることが知られている。
【００５３】
ＬＰＨの解像度が１２００［ｄｐｉ］の場合、結像レンズの直径Ｄに配列される発光素子の数は、約２６素子となる。図２に示す発光素子ａが点灯した場合の光学特性は、結像レンズＡによる光学特性Ｌａと結像レンズＢ１、Ｂ２とによる光学特性Ｌｂ１、Ｌｂ２に起因するものである。この結像レンズＡ、Ｂ１、Ｂ２により照射光が受光されて集光される発光素子の素子数は、２つの隣接する結像レンズの直径Ｄに配列される発光素子の数（約５２素子）である。従って、約５２素子が黒スジが発生する検出精度に寄与する最小の素子数となるため、この素子数を第１の移動平均区間とすることが好ましい。
【００５４】
第２の移動平均区間は、各発光素子のＭＴＦ値をグラフ化したＭＴＦ曲線を平滑化するために必要とする素子数であることが求められる。例えば、第１の移動平均区間を５２素子とした場合には、第２の移動平均区間は７６８素子が好ましい。
【００５５】
第３算出処理は、発光素子毎に第１演算値としての第１の移動平均値と第２演算値としての第２移動平均値とに基づいて、第２移動平均値から第１の移動平均値を差分した差分値（移動平均差）を第３演算値として算出する処理である。
【００５６】
第３算出処理後には、第３算出処理により算出された第３演算値と予め設定された閾値とに基づいて、黒スジ補正データが生成される。なお、閾値としては、１．６以上２．０以下であることが好ましい。
【００５７】
黒スジ補正データには、補正対象区間の補正ピーク値ＭＰ、ピーク素子番号ＰＰ、区間情報が含まれる。
補正対象区間とは、第３演算値が予め設定された閾値以上となる発光素子の区間において、第３演算値が１以上となる発光素子の区間である。
補正ピーク値ＭＰは、補正対象区間における第３演算値の最大値、即ち、光学特性データに基づいて算出される値の最大値である。
ピーク素子番号ＰＰは、補正ピーク値ＭＰに対応する発光素子の素子番号（最大素子番号）である。
【００５８】
区間情報は、ピーク素子番号ＰＰから補正対象区間の一端部及び他端部までの素子数である。この区間情報は、補正ピーク値ＭＰに応じて光量補正値を補正する各補正値である光量操作量が定められ、当該各光量操作量に応じた区間の一端部及び他端部の素子数を含む。
【００５９】
例えば、光量操作量が補正ピーク値である区間の素子数は、ピーク補正開始数ＭＰ１Ａとピーク補正終了数ＭＰ１Ｂとの和である。ピーク補正開始数ＭＰ１Ａは、ピーク素子番号ＰＰから当該区間の一端部の発光素子までの素子数である。ピーク補正終了数ＭＰ１Ｂは、ピーク素子番号ＰＰから当該区間の他端部の発光素子までの素子数ある。従って、光量操作量が補正ピーク値である区間は、ピーク素子番号ＰＰにピーク補正開始数ＭＰ１Ａを減算した素子番号から、ピーク素子番号ＰＰにピーク補正終了数ＭＰ１Ｂを加算した素子番号までの区間となる。
【００６０】
メモリ１７ｂは、フラッシュメモリ等の不揮発性のメモリで構成され、各種プログラム及びデータを書き換え可能に記憶する。また、メモリ１７ｂは、ＬＰＨ検査処理プログラム、ＬＰＨ３に設けられた各発光素子に対して予め設定された初期の光量補正値（初期光量補正値）を格納した光量補正テーブル、第１〜３光量調整処理に用いられるライン周期、露光時間、ＭＴＦ測定処理に用いられる各種点灯パターン、閾値等の必要な各種データを記憶していると共に、受光部１３により受光されて得られた光量測定値のテーブル（光量測定テーブル）、各種演算値等を記憶する。
更に、メモリ１７ｂは、ＬＰＨ検査処理により生成される基本補正データ及び黒スジ補正データを記憶する。
【００６１】
表示部１７ｃは、ＬＣＤ（Liquid Crystal Display）又は有機ＥＬ（Electronic Luminescent）素子等を用いた表示画面を備え、制御部１７ａから入力される表示信号に従って、各種設定条件を入力する各種表示画面や各種処理結果等を表示する各種表示画面を表示する。
【００６２】
操作部１７ｄは、各種操作キー群、表示部１７ｃの表示画面を覆うタッチパネル等を有する。操作部１７ｄは、操作キー群又はタッチパネルから入力される操作信号を制御部１７ａに出力する。
【００６３】
外部Ｉ／Ｆ１７ｅは、ネットワークインターフェースカード（ＮＩＣ；Network Interface Card）、モデム（ＭＯＤＥＭ：MOdulator-DEModulator）、ＵＳＢ（Universal Serial Bus）等の各種インターフェースを備えて構成され、通信可能に接続された外部機器や画像形成装置等と相互にデータの送受信を行う。
【００６４】
図３に、本実施の形態における画像形成装置２の制御ブロック図を示す。
画像形成装置２は、原稿から画像を読み取り、読み取った画像を紙等の用紙に画像形成するコピー機能や、ＰＣ（Personal Computer）等の外部装置から画像データを受信し、画像データが表す画像を用紙上に形成して出力するプリンタ機能等を備えたデジタル複合機である。
【００６５】
図３に示すように、画像形成装置２は、本体制御部２１、機構制御部２２、操作表示部２３、外部Ｉ／Ｆ２４、ＬＰＨ３、プリント部４及び画像読取部（不図示）などにより構成され、各部はバスにより接続されている。
【００６６】
本体制御部２１は、ＣＰＵ２１ａ、本体記憶部２１ｂ、ＲＡＭ２１ｃ、画像メモリ２１ｄ、画像処理部２１ｅ、画像処理部２１ｅと接続されたＬＰＨ制御部２１ｆ、Ｉ／Ｏ（Input/Output）２１ｇ等を備えている。
【００６７】
ＣＰＵ２１ａは、本体記憶部２１ｂに記憶されているシステムプログラム、各処理プログラム、データを読み出して、本体記憶部２１ｂ又はＲＡＭ２１ｃ内に展開し、展開されたプログラムに従って、画像形成装置２各部の動作を集中制御する。システム全体のタイミング制御、本体記憶部２１ｂ又はＲＡＭ２１ｃを使用した画像データの記憶及び蓄積制御、プリント部に対する画像データの入出力制御、他のアプリケーション（ＦＡＸ、プリンタ、スキャナー等）とのインターフェース（Ｉ／Ｆ）や動作制御を行うものである。
【００６８】
また、ＣＰＵ２１ａは、本体記憶部２１ｂに記憶されているＬＰＨ調整処理プログラム等の他各種データ等を読み出して、ＬＰＨ調整処理を実行する。
ＬＰＨ調整処理では、ＬＰＨ３の記憶部３１から基本補正データ（第１補正データ）及び黒スジ補正データ（第２補正データ）が読み出され、調整メニュー画面が操作表示部に表示され、操作表示部から入力された調整指示情報に応じて調整された黒スジ補正データに基づいて基本補正データが補正され、補正された基本補正データを本体記憶部２１ｂに記憶させると共に、補正された基本補正データを用いた画質確認用の画像データに基づく画像がプリント部４により用紙に形成され出力される処理である。
【００６９】
調整メニュー画面は、読み出された黒スジ補正データを表示すると共に、当該黒スジ補正データに対する調整指示情報を受け付けるものである。
【００７０】
本体記憶部２１ｂは、フラッシュメモリ等の不揮発性のメモリで構成され、画像形成装置２に対応する各種プログラム及び各種プログラムで処理するのに必要なデータが予め記憶されている。また、本体記憶部２１ｂには、ＬＰＨ調整処理プログラムや画質確認用の画像データ等のＬＰＨ調整処理プログラムにて必要な各種データが記憶されている。
【００７１】
更に、本体記憶部２１ｂは、光量補正データメモリを有する。
光量補正データメモリは、ＥＥＰＲＯＭ（Electronically Erasable and Programmable Read Only Memory）等の書き替え可能な不揮発性のメモリを用いて構成される。光量補正データメモリは、ＬＰＨ３から読み出されたデータ（基本補正データ、黒スジ補正データ等）や、ＬＰＨ調整処理プログラムにて補正された基本補正データが記憶される。
【００７２】
ＲＡＭ２１ｃは、ＣＰＵ２１ａにより実行される各種処理において、本体記憶部２１ｂから読み出されたプログラム、入力、若しくは出力データ及びパラメータなどの一時的な格納領域となる。
【００７３】
画像メモリ２１ｄは、画像データメモリを有する。
画像データメモリは、ＤＲＡＭ（Dynamic ＲＡＭ）等を用いて構成される。画像データメモリは、画像読取部や外部Ｉ／Ｆ２４等から送られてきた画像データを記憶する。
【００７４】
画像処理部２１ｅは、画像メモリ２１ｄに記憶されている画像データの画像処理（変倍、フィルタ、γ変換など）を行い、プリント出力対象となるプリントデータを生成する。
【００７５】
ＬＰＨ制御部２１ｆは、画像処理部２１ｅにより生成されたプリントデータを格納すると共に、生成されたプリントデータに基づいた各種信号や、ＬＰＨ３の記憶部３１に書き込むデータをＬＰＨ３に出力する。
【００７６】
Ｉ／Ｏ２１ｇは、ＬＰＨ３の記憶部３１から読み出された基本補正データ及び黒スジ補正データを、ＣＰＵ２１ａに出力し、本体記憶部２１ｂの光量補正データメモリに記憶させる。
【００７７】
機構制御部２２は、本体制御部２１からの信号に基づいて画像形成装置２内の各種駆動機構及び各種センサ等を統括的に制御するものであり、例えば、画像形成部が備える感光体ドラムを一定速度で回転させるモータを駆動制御している。
【００７８】
操作表示部２３は、ＬＣＤ（Liquid Crystal Display）又は有機ＥＬ（Electronic Luminescent）素子を用いた等の表示画面や、テンキーや電源スイッチを含む操作キー群等から構成される。表示画面上には、表示画面を覆うようにタッチパネルが設けられており、本体制御部２１から入力される表示信号に従って、各種設定条件を入力するための各種設定画面や調整メニュー画面、画像形成装置２の動作状態や処理結果等が表示される。また、操作表示部２３は、操作キー群又はタッチパネルから入力される操作信号を本体制御部２１に送信する。
【００７９】
外部Ｉ／Ｆ２４は、ネットワークインターフェースカード（ＮＩＣ；Network Interface Card）、モデム（ＭＯＤＥＭ：MOdulator-DEModulator）、ＵＳＢ（Universal Serial Bus）等の各種インターフェースを備えて構成され、通信可能に接続された外部機器やＬＰＨ検査システムが備える制御装置１７と相互に情報の送受信を行う。
【００８０】
プリント部４は、ＬＰＨ３を有する画像形成部、クリーニング部、転写ベルト、給紙部、搬送部、定着部等を備え、用紙上に画像を形成する。
【００８１】
次に、本実施の形態の動作を説明する。
図４に、本実施の形態におけるＬＰＨ検査処理のフローチャートを示す。
図４に示す処理は、ＬＰＨ検査システムにおいて実行される処理である。
【００８２】
まず、ＬＰＨ３の初期検査が行なわれる（ステップＳ１）。初期検査では、ＬＰＨ３を構成する各種部品の外観が観察され、キズや汚れ等が無いかが確認され、ＬＰＨ３の光量やＭＴＦ値、フォーカス位置等の初期値が設定される処理である。
【００８３】
初期検査後、ＬＰＨ３を構成する各種部品や取り付け部材を組み立てるＬＰＨ部組が行われる（ステップＳ２）。部組が行なわれたＬＰＨ３がＬＰＨ固定部材１２に仮設置され、受光部１３に対する位置決めやフォーカス位置の調整が行われる（ステップＳ３）。
【００８４】
フォーカス位置の調整後、ＬＰＨ３を構成する各種部品等の接着及び乾燥が行なわれ、ＬＰＨ３はＬＰＨ固定部材１２等の固定支持部に固定される（ステップＳ４）。
【００８５】
ＬＰＨ固定部材１２に固定されたＬＰＨ３に対してＬＰＨ部組検査処理が実行され（ステップＳ５）、ステップＳ５後に補正データ生成処理が実行される（ステップＳ６）。そして、ステップＳ６後に補正データ書込処理が実行され（ステップＳ７）、ＬＰＨ検査システム１での処理は終了される。
【００８６】
なお、ステップＳ７の補正データ書込処理は、ＬＰＨ３が画像形成装置２の所定位置に取り付けられた後、ＬＰＨ検査システム１と画像形成装置２とが通信を行って実行されるものであってもよい。詳細は後述する。
【００８７】
図５に、ＬＰＨ検査システム１で実行されるＬＰＨ部組検査処理のフローチャートを示す。図５に示す処理は、制御部１７ａと各部との協働により実行されるものである。
【００８８】
制御部１７ａは、第１光量調整処理を実行させ（ステップＳ１１）、第１光量調整処理の実行後、第２光量調整処理を実行させ（ステップＳ１２）、第２光量調整処理の実行後、第３光量調整処理を実行させる（ステップＳ１３）。
制御部１７ａにより第３光量調整処理の実行が完了すると、ＬＰＨ３に設けられている発光素子の光量バラツキが予め設定された値以下に調整されると共に、各発光素子に対する光量補正値が素子番号に対応付けられた基本補正データが生成される。
なお、第１〜３光量調整処理の詳細については後述する。
【００８９】
制御部１７ａは、発光素子の光量バラツキが調整されたＬＰＨ３に対して、ＭＴＦ測定処理を実行し（ステップＳ１４）、ＬＰＨ部組検査処理を終了する。なお、ＭＴＦ測定処理については、点灯パターン毎に各発光素子のＭＴＦ値を算出する正規処理と、連続して配列された複数素子共通のＭＴＦ値を算出する略式処理とがあり、演算効率の向上を図る上では略式処理を用いることが好ましく、本実施の形態では略式処理を用いる。
【００９０】
図６に、第１光量調整処理のフローチャートを示す。
制御部１７ａは、メモリ１７ｂから初期検査により設定された初期光量補正値が格納された光量補正テーブルを読み出し、ＬＰＨ制御部１５により各発光素子の電流調整値となる初期光量補正値を各発光素子に設定させる（ステップＳ２１）。また制御部１７ａは、メモリ１７ｂからライン周期、露光時間を読み出し、ＬＰＨ制御部１５によりＬＰＨ３のライン周期、各発光素子の露光時間をＬＰＨ３に設定させる（ステップＳ２２）。
【００９１】
制御部１７ａは、点灯させる素子番号（点灯素子番号）ｎを０に指定した後（ステップＳ２３）、点灯素子番号ｎに１を加算して（ステップＳ２４）、受光制御部／駆動制御部１６により駆動部１４を駆動させて受光部１３を点灯素子番号ｎに対応する位置に移動させる（ステップＳ２５）。
【００９２】
制御部１７ａは、点灯素子番号ｎの発光素子をＬＰＨ制御部１５により点灯させ（ステップＳ２６）、受光部１３が受光した光量値が受光制御部／駆動制御部１６により変換された光量測定値Ｐ（ｎ）を取得し、光量測定テーブルに格納する（ステップＳ２７）。
【００９３】
制御部１７ａは、点灯素子番号ｎが最終番目の素子番号であるか否かを判別する（ステップＳ２８）。点灯素子番号ｎが最終番目の素子番号でない場合（ステップＳ２８；ＮＯ）、制御部１７ａは、ステップＳ２４の処理に戻り、点灯素子番号ｎが最終番目の素子番号である場合（ステップＳ２８；ＹＥＳ）、第１光量調整処理を終了する。
【００９４】
図７に、第２光量調整処理のフローチャートを示す。
制御部１７ａは、メモリ１７ｂに記憶されている光量測定テーブルを読み出し（ステップＳ３１）、各発光素子の光量測定値から全発光素子の平均光量Ｐａを算出し（ステップＳ３２）、光量補正テーブルの展開領域をメモリ１７ｂに確保する（ステップＳ３３）。
【００９５】
制御部１７ａは、参照する発光素子の素子番号（参照素子番号）ｎを１に設定し（ステップＳ３４）、光量補正テーブルに格納されている参照素子番号ｎの光量補正値ＴＴ（ｎ）を読み出す（ステップＳ３５）。
【００９６】
制御部１７ａは、読み出した参照素子番号ｎの光量補正値ＴＴ（ｎ）、当該参照素子番号ｎの光量測定値Ｐ（ｎ）、平均光量Ｐａに基づいて、当該光量補正値ＴＴ（ｎ）に補正を行ない、新たな光量補正値ＴＴ（ｎ）を算出する（ステップＳ３６）。具体的には、光量測定値Ｐ（ｎ）を平均光量Ｐａで除算した値から１を減算した値に読み出した光量補正値ＴＴ（ｎ）を加算して、新たな光量補正値ＴＴ（ｎ）とする。下記の式（１）に、新たな光量補正値ＴＴ（ｎ）の算出式を示す。
【００９７】
ＴＴ（ｎ）＝ＴＴ（ｎ）＋（Ｐ（ｎ）／Ｐａ−１）              ・・・・（１）
【００９８】
制御部１７ａは、ステップＳ３６にて算出した光量補正値ＴＴ（ｎ）を光量補正テーブルに上書きして保存し（ステップＳ３７）、参照素子番号ｎに１を加算する（ステップＳ３８）。
【００９９】
制御部１７ａは、参照素子番号ｎが最終番目の素子番号に１を加算した値であるか否かを判別する（ステップＳ３９）。参照素子番号ｎが最終番目の素子番号に１を加算した値でない場合（ステップＳ３９；ＮＯ）、制御部１７ａは、ステップＳ３５の処理に戻り、参照素子番号ｎが最終番目の素子番号に１を加算した値である場合（ステップＳ３９；ＹＥＳ）、第２光量調整処理を終了する。
【０１００】
図８に、第３光量調整処理のフローチャートを示す。
制御部１７ａは、メモリ１７ｂに記憶されている光量補正テーブル（即ち、第２光量調整処理により算出された光量補正値が格納されている光量補正テーブル）を読み出し、ＬＰＨ制御部１５により各発光素子の電流調整値となる光量補正値を各発光素子に設定させる（ステップＳ４１）。なお、ステップＳ４２〜Ｓ４８は、第１光量調整処理のステップＳ２２〜Ｓ２８と同様であるため、説明は省略する。
【０１０１】
制御部１７ａは、本処理により生成された光量測定テーブルを読み出し（ステップＳ４９）、各発光素子の光量測定値から全発光素子の平均光量Ｐａを算出する（ステップＳ５０）。
【０１０２】
制御部１７ａは、各発光素子の光量測定値Ｐ（ｎ）、平均光量Ｐａに基づいて、各発光素子の光量バラツキΔＰ（ｎ）を算出する（ステップＳ５１）。具体的には、光量測定値Ｐ（ｎ）から平均光量Ｐａを除算した値に１００を乗算してパーセント［％］で示した値を光量バラツキΔＰ（ｎ）として算出する。下記の式（２）に、素子番号ｎの発光素子の光量バラツキΔＰ（ｎ）の算出式を示す。
【０１０３】
ΔＰ（ｎ）＝（Ｐ（ｎ）−Ｐａ）×１００［％］                    ・・・・（２）
【０１０４】
制御部１７ａは、全ての発光素子の光量バラツキΔＰ（ｎ）が±５［％］以内であるか否かを判別する（ステップＳ５２）。全ての発光素子の光量バラツキΔＰ（ｎ）が±５［％］以内でない場合（ステップＳ５２；ＮＯ）、制御部１７ａは、第２光量調整処理に戻って（ステップＳ５３）第３光量調整処理を終了し、全ての発光素子の光量バラツキΔＰ（ｎ）が±５［％］以内である場合（ステップＳ５２；ＹＥＳ）、第３光量調整処理を終了する。
【０１０５】
第１〜３光量調整処理が実行されることにより、全ての発光素子の光量バラツキが所定範囲（±５［％］）以内となる光量補正テーブルが生成されることとなる。この光量補正テーブルが基本補正データとなる。また、第１〜３光量調整処理により、後に実行されるＭＴＦ測定処理で算出される各発光素子のＭＴＦ値の算出精度を向上でき、補正対象発光素子の特性精度の信頼性を向上させることができる。
【０１０６】
次に、ＭＴＦ測定処理について説明する。
ＭＴＦ測定処理での点灯パターンは、１（ＯＮ）−１（ＯＦＦ）、１（ＯＮ）−３（ＯＦＦ）、２（ＯＮ）−２（ＯＦＦ）の３つの点灯パターンがある。ＭＴＦ測定処理の種類は、いずれかの点灯パターンと正規処理又は略式処理のＭＴＦ算出処理との組み合わせがある。本実施の形態におけるＭＴＦ測定処理は、１（ＯＮ）−３（ＯＦＦ）の点灯パターンでの略式処理とする。
【０１０７】
以下、１（ＯＮ）−３（ＯＦＦ）の略式処理のＭＴＦ測定処理について説明する。
１（ＯＮ）−３（ＯＦＦ）の点灯パターンの略式処理のＭＴＦ測定処理は、４つの連続して配置された発光素子を１組とし、各組のいずれか一つの発光素子のＭＴＦ値を算出し、当該ＭＴＦ値を組共通のＭＴＦ値とする処理である。
【０１０８】
本実施の形態における１（ＯＮ）−３（ＯＦＦ）の点灯パターンの略式処理のＭＴＦ測定処理では、先頭の発光素子から３素子おきの発光素子（例えば、素子番号ｎ＝１，５，９・・・の発光素子）が順次点灯され、点灯された発光素子に対する最大光量値が取得され、また、点灯した素子間の３つの連続した発光素子のうち中央の位置の発光素子（例えば、素子番号ｎ＝３，７，１１・・・の発光素子）の位置に受光部１３が移動され、点灯された発光素子に対する最小光量値が取得される。そして、１（ＯＮ）−３（ＯＦＦ）の点灯パターンの略式処理のＭＴＦ測定処理では、最大光量値と最小光量値に基づいてＭＴＦ値が算出され、当該ＭＴＦ値が各組の共通のＭＴＦ値となる。
【０１０９】
図９に、１（ＯＮ）−３（ＯＦＦ）の点灯パターンの略式処理でのＭＴＦ測定処理のフローチャートを示す。
制御部１７ａは、測定前に各部の初期設定を行なう（ステップＳ６１）。例えば、受光制御部／駆動制御部１６により受光部１３をガイドレール上の原点位置に移動させたり、受光部１３のリファレンス調整、受光制御部／駆動制御部１６内のＡ／Ｄ変換回路や格納メモリの初期設定等を行なう。
【０１１０】
制御部１７ａは、ステップＳ６１の後、メモリ１７ｂから光量補正テーブル（基本補正データ）を読み出し、ＬＰＨ制御部１５により各発光素子の電流調整値となる基本補正値を各発光素子に設定させる（ステップＳ６２）。ステップＳ６２で読み出される光量補正テーブルは、第２光量調整処理により算出された光量補正値が格納されている。
また制御部１７ａは、メモリ１７ｂからライン周期、露光時間を読み出し、ＬＰＨ制御部１５によりＬＰＨ３のライン周期、各発光素子の露光時間をＬＰＨ３に設定させる（ステップＳ６３）。
【０１１１】
制御部１７ａは、ＬＰＨ制御部１５により点灯パターンを各組の一端部に配置された発光素子を順次点灯する１（ＯＮ）−３（ＯＦＦ）に設定させる（ステップＳ６４）。制御部１７ａは、受光制御部／駆動制御部１６により受光部１３を原点位置に移動させ、また、制御部１７ａは参照素子番号ｎを０に設定する（ステップＳ６５）。
【０１１２】
制御部１７ａは、参照素子番号ｎに１を加算し（ステップＳ６６）、受光制御部／駆動制御部１６により駆動部１４を駆動させて受光部１３を参照素子番号ｎに対応する位置に移動させ、参照素子番号ｎの発光素子をＬＰＨ制御部１５により点灯させる（ステップＳ６７）。制御部１７ａは、受光部１３が受光した光量値が受光制御部／駆動制御部１６により変換された光量測定値Ｐ（ｎ）を点灯された発光素子の最大光量値Ａとして取得する（ステップＳ６８）。
【０１１３】
制御部１７ａは、参照素子番号ｎに２を加算し（ステップＳ６９）、受光制御部／駆動制御部１６により駆動部１４を駆動させて受光部１３を参照素子番号ｎに対応する位置に移動させる（ステップＳ７０）。制御部１７ａは、受光部１３が受光した光量値が受光制御部／駆動制御部１６により変換された光量測定値Ｐ（ｎ）をステップＳ６７で点灯された発光素子の最小光量値Ｂとして取得する（ステップＳ７１）。
【０１１４】
制御部１７ａは、ステップＳ６８において取得した最大光量値Ａ及びステップＳ７１において取得した最小光量値Ｂに基づいて、参照素子番号ｎ−２〜ｎ＋１と参照素子番号ｎとの共通のＭＴＦ値ＭＴＦ（ｎ−２〜ｎ＋１）を算出し（ステップＳ７２）、算出したＭＴＦ値をメモリ１７ｂに記憶させる。ステップＳ７２におけるＭＴＦ値の算出は、下記の式（３）により算出される。
【０１１５】
ＭＴＦ（ｎ−２〜ｎ＋１）＝｛（Ａ−Ｂ）／（Ａ＋Ｂ）｝×１００［％］・・・・（３）
【０１１６】
制御部１７ａは、参照素子番号ｎが最終番目の素子番号であるか否かを判別する（ステップＳ７３）。参照素子番号ｎが最終番目の素子番号でない場合（ステップＳ７３；ＮＯ）、制御部１７ａは、参照素子番号ｎに２を加算し（ステップＳ７４）、ステップＳ６６の処理に戻る。参照素子番号ｎが最終番目の素子番号である場合（ステップＳ７３；ＹＥＳ）、制御部１７ａは、１（ＯＮ）−３（ＯＦＦ）の点灯パターンの略式処理でのＭＴＦ測定処理を終了する。
【０１１７】
図１０、図１１に、ＬＰＨ検査システム１で実行される補正データ生成処理のフローチャートを示す。図１０、図１１に示す処理は、制御部１７ａと各部との協働により実行されるものである。
【０１１８】
制御部１７ａは、ＭＴＦ測定処理にて得られた各発光素子のＭＴＦ値をメモリ１７ｂから読み出し（ステップＳ８１）、第１算出処理を実行する（ステップＳ８２）。本実施の形態における第１算出処理は、第１の移動平均区間を５２素子とし、各発光素子を当該第１の移動平均区間の中心として、各発光素子の第１の移動平均値を算出する。
【０１１９】
略式処理によりＭＴＦ値が算出された場合の第１算出処理について説明する。
本実施の形態における略式処理で算出されるＭＴＦ値は、４つの発光素子毎に共通のＭＴＦ値とする。従って、第１の移動平均区間を５２素子とした場合、４素子を１組として１３組単位で第１の移動平均値を算出する。例えば、４の倍数の素子番号の発光素子のＭＴＦ値に基づいて、各組の第１の移動平均値を算出する。組番号ｍに含まれる発光素子のうち最も素子番号が小さい素子番号の発光素子の第１の移動平均値ＭＴＦａ１（ｎ）は、下記の式（４）により算出される。
【０１２０】
ＭＴＦａ１（ｎ）＝｛ＭＴＦ（ｎ−２４）＋ＭＴＦ（ｎ−２０）＋ＭＴＦ（ｎ−１６）
＋ＭＴＦ（ｎ−１２）＋ＭＴＦ（ｎ−８）＋ＭＴＦ（ｎ−４）
＋ＭＴＦ（ｎ）＋ＭＴＦ（ｎ＋４）＋ＭＴＦ（ｎ＋８）
＋ＭＴＦ（ｎ＋１２）＋ＭＴＦ（ｎ＋１６）＋ＭＴＦ（ｎ＋２０）
＋ＭＴＦ（ｎ＋２４）｝／１３
・・・・（４）
【０１２１】
なお、第１の移動平均区間の半数未満の組（１組目〜６組目）の発光素子の第１の移動平均値を、７組目の発光素子の第１の移動平均値とし、最終組（Ｍ組）から第１の移動平均区間の半数区間の組（Ｍ組〜Ｍ−６組目）の発光素子の第１の移動平均値を、Ｍ−７組目の発光素子の第１の移動平均値とする。
【０１２２】
制御部１７ａは、ステップＳ８１後、第２算出処理を実行する（ステップＳ８３）。本実施の形態における第２算出処理は、第２の移動平均区間を７６８素子とし、各発光素子を当該第２の移動平均区間の中心として、各発光素子の第２の移動平均値を算出する。
【０１２３】
略式処理によりＭＴＦ値が算出された場合の第２算出処理について説明する。
上述したように、略式処理で算出されたＭＴＦ値は、４つの発光素子毎に共通のＭＴＦ値である。従って、第２の移動平均区間を７６８素子とした場合、４素子を１組として１９２組単位で第２の移動平均値を算出する。例えば、４の倍数の素子番号の発光素子のＭＴＦ値に基づいて、各組の第２の移動平均値を算出する。組番号ｍに含まれる発光素子のうち最も素子番号が小さい素子番号の発光素子の第２の移動平均値ＭＴＦａ２（ｎ）は、下記の式（５）により算出される。
【０１２４】
ＭＴＦａ２（ｎ）＝｛ＭＴＦ（ｎ−３８４）＋ＭＴＦ（ｎ−３８０）＋…
…＋ＭＴＦ（ｎ−４）＋ＭＴＦ（ｎ）＋ＭＴＦ（ｎ+４）＋…
…＋ＭＴＦ（ｎ＋３７６）＋ＭＴＦ（ｎ＋３８０）｝／１９２
・・・・（５）
【０１２５】
なお、第２の移動平均区間の半数未満の組（１組目〜９６組目）の発光素子の第２の移動平均値を、９７組目の発光素子（素子番号ｎ＝３８５〜３８８の発光素子）の第２の移動平均値とし、最終組（Ｍ組）から第２の移動平均区間の半数区間の組（Ｍ組〜Ｍ−９６組目）の発光素子の第２の移動平均値を、Ｍ−９７組目の発光素子の第２の移動平均値とする。
【０１２６】
制御部１７ａは、第１算出処理及び第２算出処理後、各発光素子の第２の移動平均値ＭＴＦａ２（ｎ）から第１の移動平均値ＭＴＦａ１（ｎ）を差分した差分値ΔＭ（ｎ）を算出する第３算出処理を実行する（ステップＳ８４）。
【０１２７】
制御部１７ａは、所定区分毎に最大差分値ΔＭｍａｘ（ｎ）と、当該最大差分値ΔＭｍａｘ（ｎ）の発光素子の素子番号（最大素子番号Ｎｍａｘ）とを検出する。そして制御部１７ａは、最大素子番号Ｎｍａｘの素子番号順にリスト番号を付して、検出した最大素子番号Ｎｍａｘと最大差分値ΔＭｍａｘ（ｎ）が格納された最大値リストを生成し（ステップＳ８５）、メモリ１７ｂに記憶する。
【０１２８】
図１２に、最大値リストの例を示す。
図１２に示す最大値リストでは、ステップＳ８５での所定区分を、例えば、主走査方向に発光素子が１５３６０画素配列されている場合には３８４素子単位の４０個の区分とした場合の例である。この場合、３８４素子単位毎に、差分値ΔＭ（ｎ）が予め設定された閾値以上となる発光素子のうち、差分値ΔＭ（ｎ）が最大となる発光素子の素子番号（最大素子番号Ｎｍａｘ）と、最大素子番号Ｎｍａｘ（ｎ）の差分値ΔＭ（ｎ）（即ち、最大差分値ΔＭｍａｘ（ｎ））が検出される。従って、４０個の区分それぞれに対する最大素子番号Ｎｍａｘ及び最大差分値ΔＭｍａｘ（ｎ）にリスト番号が付された最大値リストが生成されることとなる。
【０１２９】
制御部１７ａは、メモリ１７ｂから最大値リストを読み出し（ステップＳ８６）、参照するリスト番号（参照リスト番号）Ｌｎを０に設定する（ステップＳ８７）。
【０１３０】
制御部１７ａは、参照リスト番号Ｌｎに１を加算した参照リスト番号Ｌｎに対する最大素子番号Ｎｍａｘと最大差分値ΔＭｍａｘ（ｎ）を読み出す（ステップＳ８８）。
【０１３１】
制御部１７ａは、参照リスト番号Ｌｎに対する最大素子番号Ｎｍａｘと最大差分値ΔＭｍａｘ（ｎ）に該当するデータが最大値リストにあるか否か、即ち、ステップＳ８８で参照リスト番号Ｌｎに対する最大素子番号Ｎｍａｘと最大差分値ΔＭｍａｘ（ｎ）を読み出すことができたか否かを判別する（ステップＳ８９）。参照リスト番号Ｌｎに対する最大素子番号Ｎｍａｘと最大差分値ΔＭｍａｘ（ｎ）に該当するデータが最大値リストにない場合（ステップＳ８９；ＮＯ）、制御部１７ａは、補正データ生成処理を終了する。
【０１３２】
参照リスト番号Ｌｎに対する最大素子番号Ｎｍａｘと最大差分値ΔＭｍａｘ（ｎ）に該当するデータが最大値リストにある場合（ステップＳ８９；ＹＥＳ）、ステップＳ８８で読み出したる最大素子番号Ｎｍａｘをピーク素子番号ＰＰ、最大差分値ΔＭｍａｘ（ｎ）の小数点以下を切り捨てた値を補正ピーク値ＭＰとする（ステップＳ９０）。
【０１３３】
制御部１７ａは、ピーク素子番号ＰＰを中心に予め設定された素子数の区間（例えば、ピーク素子番号ＰＰを中心に前後２００素子の区間）の素子番号と差分値ΔＭ（ｎ）をメモリ１７ｂから読み出す（ステップＳ９１）。
【０１３４】
制御部１７ａは、読み出した区間の各差分値ΔＭ（ｎ）を小数点以下を切り捨てた値に処理し、処理済みの各差分値（処理済差分値ΔＭＭ（ｎ））を算出する（ステップＳ９２）。この処理済差分値ΔＭＭ（ｎ）が光量操作量［％］となる。
【０１３５】
図１３に、ピーク素子番号ＰＰを中心とした区間の発光素子の素子番号と差分値ΔＭ（ｎ）と処理済差分値ΔＭＭ（ｎ）との例を示す。
【０１３６】
制御部１７ａは、ピーク素子番号ＰＰから素子番号の値が小さい方向に向かって、各処理済差分値ΔＭＭ（ｎ）をチェックし、処理済差分値ΔＭＭ（ｎ）毎の区間の一端部までの素子数を算出する（ステップＳ９３）。
【０１３７】
ステップＳ９３では、例えば、補正ピーク値ＭＰが３である場合、処理済差分値ΔＭＭ（ｎ）が３の場合、２の場合、１の場合の各区間のピーク素子番号ＰＰから一端部までの素子数が算出される。
【０１３８】
具体的には、ピーク素子番号ＰＰから素子番号の値が小さい方向に向かって、処理済差分値ΔＭＭ（ｎ）が３から２となる発光素子の素子番号（図１３では素子番号１４２６５）が検出され、検出された素子番号とピーク素子番号ＰＰとの差がピーク補正開始数ＭＰ１Ａとして算出される。
また、ピーク素子番号ＰＰから素子番号の値が小さい方向に向かって、処理済差分値ΔＭＭ（ｎ）が２から１となる発光素子の素子番号（図１３では素子番号１４２３７）が検出され、検出された素子番号とピーク素子番号ＰＰとの差が第２補正開始数ＳＰ２として算出される。
更に、ピーク素子番号ＰＰから素子番号の値が小さい方向に向かって、処理済差分値ΔＭＭ（ｎ）が１から０となる発光素子の素子番号（図１３では素子番号１４２１７）が検出され、検出された素子番号とピーク素子番号ＰＰとの差が第１補正開始数ＳＰ１として算出される。
【０１３９】
制御部１７ａは、ピーク素子番号ＰＰから素子番号の値が大きい方向に向かって、各処理済差分値ΔＭＭ（ｎ）をチェックし、処理済差分値ΔＭＭ（ｎ）毎の区間の他端部までの素子数を算出する（ステップＳ９４）。
【０１４０】
ステップＳ９４では、例えば、補正ピーク値ＭＰが３である場合、処理済差分値ΔＭＭ（ｎ）が３の場合、２の場合、１の場合の各区間のピーク素子番号ＰＰから一端部までの素子数が算出される。
【０１４１】
具体的には、ピーク素子番号ＰＰから素子番号の値が大きい方向に向かって、処理済差分値ΔＭＭ（ｎ）が３から２となる発光素子の素子番号（図１３では素子番号１４２７３）が検出され、検出された素子番号とピーク素子番号ＰＰとの差がピーク補正終了数ＭＰ１Ｂとして算出される。
また、ピーク素子番号ＰＰから素子番号の値が大きい方向に向かって、処理済差分値ΔＭＭ（ｎ）が２から１となる発光素子の素子番号（図１３では素子番号１４２９７）が検出され、検出された素子番号とピーク素子番号ＰＰとの差が第２補正終了数ＥＰ２として算出される。
更に、ピーク素子番号ＰＰから素子番号の値が大きい方向に向かって、処理済差分値ΔＭＭ（ｎ）が１から０となる発光素子の素子番号（図１３では素子番号１４３２１）が検出され、検出された素子番号とピーク素子番号ＰＰとの差が第１補正終了数ＥＰ１として算出される。
【０１４２】
制御部１７ａは、ピーク素子番号ＰＰ、補正ピーク値ＭＰ、各処理済差分値ΔＭＭ（ｎ）の区間情報を黒スジ補正データとしてメモリ１７ｂに記憶させ（ステップＳ９５）、ステップＳ８８の処理に戻る。
【０１４３】
ステップＳ９５での区間情報としては、例えば、光量調整量である処理済差分値ΔＭＭ（ｎ）が補正ピーク値ＭＰである区間を示すピーク補正開始数ＭＰ１Ａ及びピーク補正終了数ＭＰ１Ｂ、光量調整量である処理済差分値ΔＭＭ（ｎ）が２である区間を示す第２補正開始数ＳＰ２及び第２補正終了数ＥＰ２、光量調整量である処理済差分値ΔＭＭ（ｎ）が１である区間を示す第１補正開始数ＳＰ１及び第１補正終了数ＥＰ１である。
【０１４４】
図１４に、ＬＰＨ検査システム１で実行される補正データ書込処理のフローチャートを示す。図１４に示す処理は、制御部１７ａと各部との協働により実行されるものである。
【０１４５】
制御部１７ａは、ＬＰＨ３内の記憶部３１へのデータ書込準備を行なう（ステップＳ１０１）。ステップＳ１０１では、制御部１７ａは、ＬＰＨ制御部１５を介してＬＰＨ３の記憶部３１との通信接続を確立する。
【０１４６】
制御部１７ａは、基本補正データをメモリ１７ｂから読み出し（ステップＳ１０２）、また黒スジ補正データをメモリ１７ｂから読み出し（ステップＳ１０３）、ＬＰＨ３の記憶部３１に基本補正データと黒スジ補正データを書き込み（ステップＳ１０４）、補正データ書込み処理を終了する。
【０１４７】
図１５に、ＬＰＨ３の記憶部３１のメモリ構成の例を示す。
図１５に示すように、記憶部３１のメモリ領域は、２つの領域（Ａバンク、Ｂバンク）に分かれている。各バンクは、更に２つの領域に分割されている。
【０１４８】
Ａバンクは、メモリアドレスが「００００ｈ」〜「２ＦＦＦｈ」の分割領域Ａ１と、メモリアドレスが「３００００ｈ」〜「７ＦＦＦｈ」の分割領域Ａ２から成る。分割領域Ａ１には、基本補正データが格納される。分割領域Ａ２には、各発光素子に対する光量補正値が基本補正データとは異なる第１拡張補正データと黒スジ補正データが格納される。
【０１４９】
Ｂバンクは、メモリアドレスが「８０００ｈ」〜「ＡＦＦＦｈ」の分割領域Ｂ１と、メモリアドレスが「Ｂ０００ｈ」〜「ＦＦＦＦｈ」の分割領域Ｂ２から成る。分割領域Ｂ１には、基本補正データと黒スジ補正データが格納される。分割領域Ｂ２には、各発光素子に対する光量補正値が基本補正データとは異なる第２拡張補正データと黒スジ補正データが格納される。
【０１５０】
本実施の形態では、Ａバンクの分割領域Ａ１、Ｂバンクの分割領域Ｂ１及びＢ２には、共通の黒スジ補正データが格納される。
【０１５１】
図１６に、Ａバンクの分割領域Ａ１に記憶されるデータ書式例を示す。
図１６に示すように、分割領域Ａ１には、基本補正データと共に、最大値リストを生成した際の各所定区分に対する黒スジ補正データの有無を示す各４ビットの黒スジ補正データ格納状況を示すデータ（図１６では、ＣＰ１〜ＣＰ４０）が格納される。
黒スジ補正データ格納情報の所定区分の値が０である場合には、当該所定区分には黒スジ補正データがないと判別することができる。
【０１５２】
図１７に、Ｂバンクの分割領域Ｂ１に記憶されるデータ書式例を示す。
図１７に示すように、分割領域Ｂ１には、各黒スジ補正データを９Ｂｙｔｅの書式として最大５つの黒スジ補正データ（ＰＰ１〜ＰＰ５）と、基本補正データとが格納される。
各黒スジ補正データは、ピーク素子番号ＰＰが小さい順又は大きい順に格納、又は、補正ピーク値が小さい順又は大きい順に格納される。
【０１５３】
図１７に示すように、各黒スジ補正データのピーク素子番号ＰＰ、第１補正開始数ＳＰ１、第１補正終了数ＥＰ１、第２補正開始数ＳＰ２、第２補正終了数ＥＰ２、ピーク補正開始数ＭＰ１Ａ、ピーク補正終了数ＭＰ１Ｂ、補正ピーク値ＭＰは、上位アドレスから１アドレスずつ１Ｂｙｔｅの領域（ピーク素子番号ＰＰは、上位アドレスから２アドレスの２ｂｙｔｅの領域）に割り振られて格納される。
【０１５４】
ピーク素子番号ＰＰ、第１補正開始数ＳＰ１、第１補正終了数ＥＰ１、第２補正開始数ＳＰ２、第２補正終了数ＥＰ２、ピーク補正開始数ＭＰ１Ａ、ピーク補正終了数ＭＰ１Ｂ、補正ピーク値ＭＰのデータは、１０進数で管理される。
なお、補正ピーク値ＭＰがない場合には、補正ピーク値ＭＰのデータとして「７７ｈ」が格納される。
【０１５５】
Ａバンクの分割領域Ａ２、Ｂバンクの分割領域Ｂ２に記憶されるデータ書式例は、図１７に示すデータ書式の基本補正データを第１拡張補正データ、第２拡張補正データに換えたものと同様である。
【０１５６】
次に、画像形成装置２にて実行される処理を説明する。
図１８に、本実施の形態におけるＬＰＨ組み立て処理のフローチャートを示す。
図１８に示す処理は、画像形成装置２を用いて実行される処理である。
【０１５７】
ＬＰＨ検査システム１によるＬＰＨ検査処理が完了したＬＰＨ３が画像形成装置２の所定位置に取り付けられる（ステップＳ１１１）。そして、ＬＰＨ３が取り付けられた画像形成装置２は、ＬＰＨ３の記憶部３１に基本補正データがあるか否かを判別する（ステップＳ１１２）。
【０１５８】
取り付けられたＬＰＨ３に基本補正データがない場合（ステップＳ１１２；ＮＯ）、画像形成装置２は、ＬＰＨ検査システム１と通信を行って基本補正データ等を記憶部３１に書き込むデータ書込処理を実行する（ステップＳ１１３）。
【０１５９】
取り付けられたＬＰＨ３に基本補正データがある場合（ステップＳ１１２；ＹＥＳ）又はステップＳ１１３後、画像形成装置２は、ＬＰＨ３を用いたＬＰＨ調整処理を実行し（ステップＳ１１４）、ＬＰＨ組み立て処理が終了される。
【０１６０】
図１９に、本実施の形態におけるＬＰＨ調整処理のフローチャートを示す。
図１９に示す処理は、画像形成装置２にて実行される処理であり、ＣＰＵ２１ａと各部との協働により実行されるものである。
【０１６１】
ＣＰＵ２１ａは、Ｉ／Ｏ２１ｇを介してＬＰＨ３の記憶部３１から基本補正データを読み込み（ステップＳ１３１）、本体記憶部２１ｂの光量補正データメモリ内に格納する。ステップＳ１３１では、例えば、記憶部３１のＡバンクの分割領域Ａ１に格納されている基本補正データが読み出される。
【０１６２】
ＣＰＵ２１ａは、ステップＳ１３１にて読み出した基本補正データを用いた確認画像データを生成し、当該確認画像データを画像処理部２１ｅに出力する（ステップＳ１３２）。画像処理部２１ｅにより確認画像データに基づくプリントデータが生成され、ＬＰＨ制御部２１ｆによりプリントデータに基づいた各種信号がＬＰＨ３に出力される。
【０１６３】
ＬＰＨ３は、ＬＰＨ制御部２１ｆから入力された信号に基づいて駆動し、プリント部４により用紙上に確認画像が形成され出力される（ステップＳ１３３）。
【０１６４】
図２０に、用紙上に形成された確認画像の例を示す。
図２０に示すように、確認画像Ｐは、第１帯状画像Ｐａ１〜Ｐａ１０と、第２帯状画像Ｐｂ１〜Ｐｂ１０と、調整位置画像Ｐｃとからなる。第１帯状画像Ｐａ１〜Ｐａ１０と第２帯状画像Ｐｂ１〜Ｐｂ１０は、スクリーン線及びスクリーン角度が異なる。
図２０に示す確認画像Ｐの例は、黒スジＬが現れた場合の例とする。
【０１６５】
第１帯状画像Ｐａ１〜Ｐａ１０は、副走査方向Ｙにおいて隣接する第１帯状画像とは濃度が異なる。第１帯状画像Ｐａ１〜Ｐａ１０は、副走査方向（用紙搬送方向）Ｙの先端から終端の方向に向かって、各第１帯状画像の濃度が順次１０［％］単位で濃く又は薄くなるように配列されている。濃度２０〜５０[％]で検出性が良い。また、第１帯状画像Ｐａ１〜Ｐａ１０は、スクリーン線１４１線、スクリーン角度４５度であることが好ましい。
【０１６６】
第２帯状画像Ｐｂ１〜Ｐｂ１０は、副走査方向Ｙにおいて隣接する第２帯状画像とは濃度が異なる。第２帯状画像Ｐｂ１〜Ｐｂ１０は、副走査方向（用紙搬送方向）Ｙの先端から終端の方向に向かって、各第２帯状画像の濃度が順次１０［％］単位で濃く又は薄くなるように配列されている。濃度２０〜５０[％]で検出性が良い。また、第２帯状画像Ｐｂ１〜Ｐｂ１０は、スクリーン線１７５線、スクリーン角度１５度であることが好ましい。
【０１６７】
調整位置画像Ｐｃは、用紙搬送方向Ｙの両端部（先端部及び終端部）の近傍位置に主走査方向Ｘに渡って延在する帯状の画像と、当該帯状の画像の主走査方向の長さを予め設定された間隔（最大値リストの所定区分に相当する長さ）で区切る線とにより形成されてなる。この帯状の画像を区切る間隔は、ＬＰＨ３が備える主走査方向に配列された発光素子を予め設定された数単位で区切った長さに相当する。例えば、主走査方向に発光素子が１５３６０画素配列されている場合であって３８４素子毎に区切る場合には、当該帯状の画像を４０個の区間に区切る線が形成される。
従って、調整位置画像Ｐｃは、第１帯状画像及び第２帯状画像に現れる黒スジの主走査方向における位置を判別するめやすとなる。
【０１６８】
出力された確認画像は、本処理を画像形成装置２に実行させている作業員により目視され、当該作業員により確認画像上に黒スジが現れているか否かが判別される（ステップＳ１３４）。確認画像上に黒スジが現れていないと判別された場合（ステップＳ１３４；ＮＯ）、当該判別結果が操作表示部２３により入力され、ＬＰＨ調整処理が終了される。また、スキャナーによる画像解析手段にて、黒スジを判定してもよい。
【０１６９】
確認画像上に黒スジが現れていると判別された場合（ステップＳ１３４；ＹＥＳ）、黒スジの出現がプロセスエンジン起因ではないか否かが作業員により判別される（ステップＳ１３５）。ステップＳ１３５では、作業員は、黒スジの形状によりプロセスエンジン起因であるか否かを判別する。プロセスエンジン起因ではない黒スジは、即ち、ＬＰＨ３のレンズアレイに起因して現れた黒スジは、黒スジの幅が約１ｍｍ前後（結合レンズの直径の約２倍の長さ）であることが知られている。また、プロセスエンジン起因で現れた黒スジは、レンズアレイに起因する黒スジよりも幅が広く、装置構成部品に応じたスジとなる。
【０１７０】
黒スジの出現がプロセスエンジン起因である場合（ステップＳ１３５；ＮＯ）、当該判別結果が操作表示部２３により入力され、プロセスエンジン起因の解析処理が実行され（ステップＳ１３６）、ＬＰＨ調整処理が終了される。このとき、ＬＰＨ側の黒スジ情報と画像とを比較して、プロセスエンジン起因との原因分離を確認すると良い。プロセスエンジン起因との切り分け手段として、黒スジ情報を活用することもできる。
【０１７１】
黒スジの出現がプロセスエンジン起因でない場合（ステップＳ１３５；ＮＯ）、当該判別結果が操作表示部により入力される。ＣＰＵ２１ａは、黒スジの出現がプロセス起因でない判別結果が入力されると、ＬＰＨ３の記憶部３１に記憶されている黒スジ補正データを読み込み（ステップＳ１３７）、本体記憶部２１ｂの光量補正データメモリ内に格納する。ステップＳ１３７では、例えば、記憶部３１のＢバンクの分割領域Ｂ１に格納されている黒スジ補正データが読み出される。
【０１７２】
ＣＰＵ２１ａは、読み込んだ黒スジ補正データの補正ピーク値ＭＰが全て「７７ｈ」であるか否かを判別する（ステップＳ１３８）。黒スジ補正データの補正ピーク値ＭＰが全て「７７ｈ」である場合（ステップＳ１３８；ＹＥＳ）、ＣＰＵ２１ａは、黒スジ補正データが結合レンズの光学特性を補正するためのデータがない旨を示す調整不要情報を示していると判別し、ＬＰＨ調整処理を終了する。
【０１７３】
ステップＳ１３８；ＹＥＳの場合、黒スジ補正データの表示及び調整指示情報の受け付けを行わず、基本補正データに基づく画像を形成することができる。
【０１７４】
黒スジ補正データの補正ピーク値ＭＰが全て「７７ｈ」ではない場合（ステップＳ１３８；ＮＯ）、ＣＰＵ２１ａは、調整メニュー画面を操作表示部２３に表示させる（ステップＳ１３９）。
【０１７５】
図２１に、調整メニュー画面の例を示す。
図２１に示すように、調整メニュー画面Ｇには、調整位置画像領域Ｅ１、調整値設定領域Ｅ２１〜Ｅ２５、確認画像プリントボタンＢが設けられている。調整メニュー画面Ｇは、黒スジ補正データに対する調整指示情報を受け付ける入力部として機能する。
【０１７６】
調整位置画像領域Ｅ１には、確認画像に形成された調整位置画像Ｐｃと同様の形態の調整位置画像が表示されており、黒スジ補正データのピーク素子番号ＰＰが含まれる調整位置画像の区間の区間番号が調整位置画像上に表示されている。
【０１７７】
調整値設定領域Ｅ２１には、データ番号表示領域Ｅ２１ａ、区間番号表示領域Ｅ２１ｂ、補正ピーク値表示領域Ｅ２１ｃ、調整値表示領域Ｅ２１ｄが設けられている。調整値設定領域Ｅ２２〜Ｅ２５は、調整値設定領域Ｅ２１と同様の構成であるため、説明は省略する。
【０１７８】
データ番号表示領域Ｅ２１ａには、黒スジ補正データの識別番号が示される。
この黒スジ補正データの識別番号は、黒スジ補正データが記憶部３１に記憶された際に付されるものであり、例えば、図１７のＰＰ１〜ＰＰ５である。区間番号表示領域Ｅ２１ｂには、黒スジ補正データが含まれる区間の区間番号が示される。補正ピーク値表示領域Ｅ２１ｃには、黒スジ補正データの補正ピーク値ＭＰが示される。調整値表示領域Ｅ２１ｄには、補正ピーク値ＭＰを当該補正ピーク値ＭＰ以下に変更する調整値が示される。
【０１７９】
調整メニュー画面Ｇにより、テンキーにより入力された調整値が、調整指示情報として受け付けられる。
【０１８０】
ＣＰＵ２１ａは、調整メニュー画面Ｇにより入力された各黒スジ補正データの調整値に応じて、光量補正値を補正する補正量の設定を行う（ステップＳ１４０）。補正量の設定について、図２２を参照して説明する。
【０１８１】
図２２に、各発光素子に対する光量操作量のグラフの例を示す。
図２２に示すグラフは、横軸に素子番号、縦軸に光量操作量［％］と示す。
第１曲線Ｌ１は、差分値ΔＭ（ｎ）をグラフ化したものであり、第２曲線Ｌ２は、処理済差分値ΔＭＭ（ｎ）をグラフ化したものである。
図２２に示すグラフでは、補正ピーク値ＭＰが３、ピーク素子番号ＰＰが１４２６９、ピーク補正開始数ＭＰ１Ａが４、ピーク補正終了数ＭＰ１Ｂが４、第２補正開始数ＳＰ２が３２、第２補正終了数ＥＰ２が２８、第１補正開始数ＳＰ１が５２、第１補正終了数ＥＰ１が５２である。
【０１８２】
まず、光量操作量が３の区間を設定する。
光量操作量が補正ピーク値ＭＰ＝３の区間は、ピーク素子番号ＰＰにピーク補正開始数ＭＰ１Ａを差分した素子番号から、ピーク素子番号ＰＰにピーク補正終了数ＭＰ１Ｂを加算した素子番号までの区間である。
図２２では、光量操作量が３の区間は、１４２６５〜１４２７３となる。
【０１８３】
次に、光量操作量が２の区間を設定する。
光量操作量が補正ピーク値ＭＰ＝３から１を減算した値（２）の区間は、ピーク素子番号ＰＰに第２補正開始数ＳＰ２を差分した素子番号から、ピーク素子番号ＰＰにピーク補正開始数ＭＰ１Ａを減算した素子番号までの区間と、ピーク素子番号ＰＰにピーク補正終了数ＭＰ１Ｂを加算した素子番号から、ピーク素子番号ＰＰに第２補正終了数ＥＰ２を加算した素子番号までの区間である。
図２２では、光量操作量が２の区間は、１４２３７〜１４２６６、１４２７４〜１４２９７となる。
【０１８４】
光量操作量が１の区間を設定する。
光量操作量が補正ピーク値ＭＰ＝３から２を減算した値（１）の区間は、ピーク素子番号ＰＰに第１補正開始数ＳＰ１を差分した素子番号から、ピーク素子番号ＰＰに第２補正開始数ＳＰ２を減算した素子番号までの区間と、ピーク素子番号ＰＰに第２補正終了数ＥＰ２を加算した素子番号から、ピーク素子番号ＰＰに第１補正終了数ＥＰ１を加算した素子番号までの区間である。
図２２では、光量操作量が１の区間は、１４２１７〜１４２３６、１４２９８〜１４２３１となる。
【０１８５】
各光量操作量の区間が決定された後、調整量に応じて各補正対象区間の発光素子に対する光量補正値の補正量の設定が行われる。
【０１８６】
図２３に、調整量が０の場合の補正量のイメージ図を示す。
調整量が０である場合、光量操作量の最大値は補正ピーク値ＭＰ（３）となる。
光量操作量が補正ピーク値ＭＰ（３）の区間（図２３では、ＰＰ−ＭＰ１Ａ〜ＰＰ＋ＭＰ１Ｂ）の発光素子の光量補正値に対する補正量は、補正ピーク値ＭＰに応じて−３［％］に設定され、当該区間の発光素子の光量補正値は、−３[％]減じた値に補正される。
【０１８７】
光量操作量が補正ピーク値ＭＰの次に大きい光量操作量の区間、即ち、光量操作量が２の区間（図２３では、ＰＰ−ＳＰ２〜ＰＰ−ＭＰ１Ａ、ＰＰ＋ＭＰ１Ｂ〜ＰＰ＋ＥＰ２）の発光素子の光量補正値に対する補正量は、光量操作量に応じて−２［％］に設定され、当該区間の発光素子の光量補正値は、−２[％]減じた値に補正される。
【０１８８】
光量操作量が補正ピーク値ＭＰから２番目に大きい光量操作量の区間、即ち、光量操作量が１の区間（図２３では、ＰＰ−ＳＰ１〜ＰＰ−ＳＰ２、ＰＰ＋ＥＰ２〜ＰＰ＋ＥＰ１）の発光素子の光量補正値に対する補正量は、光量操作量に応じて−１［％］に設定され、当該区間の発光素子の光量補正値は、−１[％]減じた値に補正される。
【０１８９】
図２４に、調整量が−１の場合の補正量のイメージ図を示す。
調整量が−１である場合、光量操作量の最大値は補正ピーク値ＭＰ（３）から−１減算した値（２）となる。
光量操作量が補正ピーク値ＭＰの区間、及び、光量操作量が補正ピーク値ＭＰの次に大きい光量操作量の区間、即ち、光量操作量が２の区間（図２４では、ＰＰ−ＳＰ２〜ＰＰ＋ＥＰ２）の発光素子の光量補正値に対する補正量は、調整量により調整された補正ピーク値ＭＰに応じて−２［％］に設定され、当該区間の発光素子の光量補正値は、−２[％]減じた値に補正される。
【０１９０】
即ち、図２４に示すように、補正ピーク値ＭＰが３であるときに調整量が−１が設定された場合には、補正ピーク値ＭＰの区間（図２４では、ＰＰ−ＭＰ１Ａ〜ＰＰ＋ＭＰ１Ｂ）の補正量は、補正ピーク値ＭＰが適用されず、補正ピーク値ＭＰから調整量が減算された値が適用される。
【０１９１】
光量操作量が補正ピーク値ＭＰから２番目に大きい光量操作量の区間、即ち、光量操作量が１の区間（図２４では、ＰＰ−ＳＰ１〜ＰＰ−ＳＰ２、ＰＰ＋ＥＰ２〜ＰＰ＋ＥＰ２）の発光素子の光量補正値に対する補正量は、光量操作量に応じて−１［％］に設定され、当該区間の発光素子の光量補正値は、−１[％]減じた値に補正される。
【０１９２】
図２５に、調整量が−２の場合の補正量のイメージ図を示す。
調整量が−２である場合、光量操作量の最大値は補正ピーク値ＭＰ（３）から−２減算した値（１）となる。
光量操作量が補正ピーク値ＭＰの区間、及び、光量操作量が補正ピーク値ＭＰの次に大きい光量操作量の区間、即ち、光量操作量が２の区間（図２５では、ＰＰ−ＳＰ２〜ＰＰ＋ＥＰ２）の発光素子の光量補正値に対する補正量は、調整量により調整された補正ピーク値ＭＰに応じて−１［％］に設定され、当該区間の発光素子の光量補正値は、−１[％]減じた値に補正される。
【０１９３】
即ち、図２５に示すように、補正ピーク値ＭＰが３であるときに調整量が−２が設定された場合には、補正ピーク値ＭＰの区間（図２５では、ＰＰ−ＭＰ１Ａ〜ＰＰ＋ＭＰ１Ｂ）の補正量は、補正ピーク値ＭＰが適用されず、補正ピーク値ＭＰから調整量が減算された値が適用される。また、光量操作量が補正ピーク値ＭＰの次に大きい光量操作量の区間（図２５では、ＰＰ−ＳＰ２〜ＰＰ−ＭＰ１Ａ、ＰＰ＋ＭＰ１Ｂ〜ＰＰ＋ＥＰ２）の補正量は、当該区間の光量操作量の値が適用されず、補正ピーク値ＭＰから調整量が減算された値が適用される。
【０１９４】
光量操作量が補正ピーク値ＭＰから２番目に大きい光量操作量の区間、即ち、光量操作量が１の区間（図２４では、ＰＰ−ＳＰ１〜ＰＰ−ＳＰ２、ＰＰ＋ＥＰ２〜ＰＰ＋ＥＰ２）の発光素子の光量補正値に対する補正量は、０［％］に設定され、当該区間の発光素子の光量補正値は補正されない。
【０１９５】
なお、補正ピーク値と当該調整値との和が０となる調整値が入力された場合、黒スジ補正データを用いた基本補正データの光量補正値の調整を行わない指示が入力されたこととなる。即ち、補正ピーク値ＭＰが３であり調整値が−３の場合には、光量操作量の最大値は補正ピーク値ＭＰ（３）から−３減算した値（０）となり、発光素子の光量補正値に対する補正量が０［％］に設定されることから、発光素子の光量補正値は補正されない。
【０１９６】
このように、ＣＰＵ２１ａは、黒スジ補正データと調整値とに基づいて、黒スジ補正データが示す区間に含まれる発光素子の光量補正値を調整する補正量を設定し、この補正量に応じて区間毎の発光素子の光量補正値を補正する。
【０１９７】
ＣＰＵ２１ａは、補正量の設定後（ステップＳ１４０後）、黒スジ補正データの区間の発光素子の光量補正値を設定された補正量に基づいて補正する。そしてＣＰＵ２１ａは、本体記憶部２１ｂに記憶されている基本補正データを、黒スジ補正データの区間の補正済みの光量補正値と、黒スジ補正データの区間を除く他の区間の基本補正データの光量補正値に書き換える。ＣＰＵ２１ａは、本体記憶部２１ｂに記憶されている基本補正データに基づいて確認画像データを生成し、当該確認画像データを画像処理部２１ｅに出力する。
【０１９８】
画像処理部２１ｅにより確認画像データに基づくプリントデータが生成され、ＬＰＨ制御部２１ｆによりプリントデータに基づいた各種信号がＬＰＨ３に出力される。そして、ＬＰＨ３は、ＬＰＨ制御部２１ｆから入力された信号に基づいて駆動し、プリント部４により用紙上に確認画像が形成され出力される（ステップＳ１４１）。
【０１９９】
出力された確認画像は、作業員により目視され、当該作業員により確認画像上に黒スジが現れているか否かが判別される（ステップＳ１４２）。確認画像上に黒スジが現れていると判別された場合（ステップＳ１４２；ＮＯ）、当該判別結果が操作表示部２３により入力され、ＣＰＵ２１ａはステップＳ１３９の処理に戻る。また、スキャナーによる画像解析手段にて黒スジを判定しても良い。
【０２００】
確認画像上に黒スジが現れていないと判別された場合（ステップＳ１４２；ＹＥＳ）、当該判別結果が操作表示部２３により入力され、ＣＰＵ２１ａは、入力された調整値に応じて調整された黒スジ補正データをＬＰＨ３が備える記憶部３１に書き換え（ステップＳ１４３）、ＬＰＨ調整処理を終了する。ステップＳ１４３では、記憶部３１に記憶されている黒スジ補正データが、調整値に応じて設定された補正量を示す黒スジ補正データに書き換えられる。
【０２０１】
以上にように本実施の形態によれば、ＬＰＨ３が、発光素子それぞれの光量を補正するための基本補正データと、結像レンズ固有のＭＴＦデータに基づく黒スジ補正データとを記憶する記憶部３１を備えていることから、ＬＰＨ３を構成する結像レンズに起因して画像上に現れる黒スジの位置を特定することができ、当該黒スジの位置に対する光量補正が可能となり、画質の向上を図ることができる。
【０２０２】
特に、ピーク素子番号ＰＰと、当該ピーク素子番号ＰＰから光量操作量毎の区間の一端部及び他端部までの素子数（ピーク補正開始数ＭＰ１Ａ、ピーク補正終了数ＭＰ１Ｂ、第１補正開始数ＳＰ１、第１補正終了数ＥＰ１、第２補正開始数ＳＰ２、第２補正終了数ＥＰ２）とにより、黒スジの位置を特定することができると共に、補正ピーク値ＭＰにより当該黒スジの位置の発光素子に対する光量補正を行なうことができる。
【０２０３】
また、結像レンズ固有のＭＴＦデータに基づく黒スジ補正データに基づいて、発光素子それぞれの光量を補正するための光量補正位置を補正することができるため、ＬＰＨ３を構成する結像レンズに起因して画像上に現れる黒スジの位置を特定することができ、当該黒スジの位置に対する光量補正が可能となり、画質の向上を図ることができる。
【０２０４】
更に、黒スジ補正データを調整メニュー画面Ｇにより受け付けられた調整指示情報（調整値）に基づいて調整することができるため、利用者の望む画質の画像を実現することができる。
【０２０５】
また、結像レンズ固有のＭＴＦデータに基づく黒スジ補正データを算出してＬＰＨ３の記憶部３１に書き込むことができるため、当該ＬＰＨ３を用いて画像を形成する場合には、光書込装置を構成する結像レンズに起因して画像上に現れる黒スジの位置を特定することができ、当該黒スジの位置に対する光量補正が可能となり、画質の向上を図ることができる。
【０２０６】
更に、ＬＰＨ３の記憶部３１に記憶されている黒スジ補正データを、調整メニュー画面から入力された補正指示情報（調整値）に基づいて調整された黒スジ補正データに書き換えることができる。
【０２０７】
以上の説明では、本発明に係るプログラムのコンピュータ読み取り可能な媒体として
メモリ１７ｂや本体記憶部２１ｂを使用した例を開示したが、この例に限定されない。その他のコンピュータ読み取り可能な媒体として、フラッシュメモリ等の不揮発性メモリ、ＣＤ-ＲＯＭ等の可搬型記録媒体を適用することが可能である。また、本発明に係るプログラムのデータを通信回線を介して提供する媒体として、キャリアウエーブ(搬送波)も本発明に適用される。
【０２０８】
また、本発明は、上記実施の形態の内容に限定されるものではなく、本発明の主旨を逸脱しない範囲で適宜変更可能である。
【符号の説明】
【０２０９】
１  ＬＰＨ検査システム
２  画像形成装置
３  ＬＰＨ
４  プリント部
１１  暗箱
１２  ＬＰＨ固定部材
１３  受光部
１４  駆動部
１５  ＬＰＨ制御部
１６  受光制御部／駆動制御部
１７  制御装置
１７ａ  制御部
１７ｂ  メモリ
１７ｃ  表示部
１７ｄ  操作部
１７ｅ  外部Ｉ／Ｆ
２１  本体制御部
２１ａ  ＣＰＵ
２１ｂ  本体記憶部
２１ｃ  ＲＡＭ
２１ｄ  画像メモリ
２１ｅ  画像処理部
２１ｆ  ＬＰＨ制御部
２１ｇ  Ｉ／Ｏ
２２  機構制御部
２３  操作表示部
２４  外部Ｉ／Ｆ
３１  記憶部
Ｂ  確認画像プリントボタン
Ｇ  調整メニュー画面
Ｅ１  調整位置画像領域
Ｅ２１〜Ｅ２５  調整値設定領域
Ｅ２１ａ  データ番号表示領域
Ｅ２１ｂ  区間番号表示領域
Ｅ２１ｃ  ピーク値表示領域
Ｅ２１ｄ  調整値表示領域
Ｌ  黒スジ
Ｌ１  第１曲線
Ｌ２  第２曲線
Ｐ  確認画像
Ｐａ１〜Ｐａ１０  帯状画像
Ｐｂ１〜Ｐｂ１０  帯状画像
Ｐｃ  調整位置画像
ＥＰ１  第１補正終了数
ＥＰ２  第２補正終了数
ＭＰ  補正ピーク値
ＭＰ１Ａ  ピーク補正開始数
ＭＰ１Ｂ  ピーク補正終了数
ＰＰ  ピーク素子番号
ＳＰ１  第１補正開始数
ＳＰ２  第２補正開始数
Ｘ  主走査方向
Ｙ  副走査方向（用紙搬送方向）
ΔＭ（ｎ）  差分値
ΔＭＭ（ｎ）  処理済差分値
ΔＭｍａｘ（ｎ）  最大差分値
Ｎｍａｘ  最大素子番号 
【図１】
2010173235.tif 000003
【図２】
2010173235.tif 000004
【図３】
2010173235.tif 000005
【図４】
2010173235.tif 000006
【図５】
2010173235.tif 000007
【図６】
2010173235.tif 000008
【図７】
2010173235.tif 000009
【図８】
2010173235.tif 000010
【図９】
2010173235.tif 000011
【図１０】
2010173235.tif 000012
【図１１】
2010173235.tif 000013
【図１２】
2010173235.tif 000014
【図１３】
2010173235.tif 000015
【図１４】
2010173235.tif 000016
【図１５】
2010173235.tif 000017
【図１６】
2010173235.tif 000018
【図１７】
2010173235.tif 000019
【図１８】
2010173235.tif 000020
【図１９】
2010173235.tif 000021
【図２０】
2010173235.tif 000022
【図２１】
2010173235.tif 000023
【図２２】
2010173235.tif 000024
【図２３】
2010173235.tif 000025
【図２４】
2010173235.tif 000026
【図２５】
2010173235.tif 000027